(57)【特許請求の範囲】
【請求項１】
天井クレーンのトロリーに設置されたクレーン巻上装置からワイヤロープで吊下げられた、取鍋吊上げ用のフックブロックと、
前記トロリーに設置された集塵機と、
前記集塵機に接続され、トロリーの下面に延びた固定ダクトと、
前記フックブロックに取付けられており、該フックブロックに吊下げられた取鍋の上面を覆う形状の集塵カバーと、
前記固定ダクトと前記集塵カバーとの間に連結された伸縮自在の伸縮ダクトとからなり、
前記集塵カバーが、クレーン巻上装置のフックブロックに固定された上端フレームと、該上端フレームから下向きに取付けられた筒状で伸縮自在な側面カバーとからなり、前記側面カバーの伸縮装置が前記上端フレームに設置されており、
前記側面カバーが、蛇腹構造であり、前記伸縮装置が、第１のロープ巻取装置であって、遊端が蛇腹式カバーの下端に取付けられたロープを巻上げ下げするものであり、
前記伸縮ダクトが、蛇腹構造であり、その上端が前記固定ダクトの先端開口に接続され、その下端が前記集塵カバーの上端フレームの開口に接続されており、該伸縮ダクトの倒れを防止する倒れ防止機構が設けられている
ことを特徴とする取鍋用集塵装置。
【請求項２】
前記倒れ防止機構が、
前記伸縮ダクトの外側面において、上下方向に適数個取付けられたガイド部材と、
前記トロリー上に設置された第２のロープ巻取装置と、
該ロープ巻取装置から繰り出され、前記ガイド用リングに通されて前記上端フレームに固定されているロープとからなる
ことを特徴とする請求項１記載の取鍋用集塵装置。
【発明の詳細な説明】
【０００１】
【発明の属する技術分野】
本発明は取鍋用集塵装置に関する。電気炉より出銑した溶銑の入った取鍋は、天井クレーンで吊上げられて搬送され、ノロ取り、注湯、湯戻しの各作業を行うが、本発明は、これらの各作業中に、取鍋から発生する粉塵を収集する集塵装置に関する。
【０００２】
【従来の技術】
従来の集塵機としては、特開平７−３２４８８０号公報、実開平３−２４３６１号公報、実開平７−４１３３８号公報に記載されたものがある。
これらの集塵機は、いずれも地上に設置されており、決められた場所でのみ取鍋から発生する粉塵を集塵するものである。
【０００３】
【発明が解決しようとする課題】
したがって、取鍋を天井クレーンで搬送している間は、集塵できず、また製鋼作業中（ノロ取り作業、注湯作業、湯戻し作業などの作業中）も直接集塵できないので、建屋内に粉塵が放散されていた。このため、作業環境が充分改善されないという問題があった。
【０００４】
本発明は上記事情に鑑み、天井クレーンでの搬送中や製鋼作業中でも、取鍋から放散される粉塵を集塵できる集塵装置を提供することを目的とする。
【０００５】
【課題を解決するための手段】
請求項１の取鍋用集塵装置は、天井クレーンのトロリーに設置されたクレーン巻上装置からワイヤロープで吊下げられた、取鍋吊上げ用のフックブロックと、前記トロリーに設置された集塵機と、前記集塵機に接続され、トロリーの下面に延びた固定ダクトと、前記フックブロックに取付けられており、該フックブロックに吊下げられた取鍋の上面を覆う形状の集塵カバーと、前記固定ダクトと前記集塵カバーとの間に連結された伸縮自在の伸縮ダクトとからなり、前記集塵カバーが、クレーン巻上装置のフックブロックに固定された上端フレームと、該上端フレームから下向きに取付けられた筒状で伸縮自在な側面カバーとからなり、前記側面カバーの伸縮装置が前記上端フレームに設置されており、前記側面カバーが、蛇腹構造であり、前記伸縮装置が、第１のロープ巻取装置であって、遊端が蛇腹式カバーの下端に取付けられたロープを巻上げ下げするものであり、前記伸縮ダクトが、蛇腹構造であり、その上端が前記固定ダクトの先端開口に接続され、その下端が前記集塵カバーの上端フレームの開口に接続されており、該伸縮ダクトの倒れを防止する倒れ防止機構が設けられていることを特徴とする。
請求項２の取鍋用集塵装置は、請求項１記載の発明において、前記倒れ防止機構が、前記伸縮ダクトの外側面において、上下方向に適数個取付けられたガイド部材と、前記トロリー上に設置された第２のロープ巻取装置と、該ロープ巻取装置から繰り出され、前記ガイド用リングに通されて前記上端フレームに固定されているロープとからなることを特徴とする。
【０００６】
請求項１の発明によれば、つぎの効果を奏する。
（１）  天井クレーンのフックブロックに吊下げられた取鍋から発生する粉塵は集塵カバーによって集められ、伸縮ダクトと固定ダクトを経て集塵機に集められる。この間、取鍋が昇降しても伸縮ダクトも伸縮自在なので、粉塵が周囲に漏れることはない。そして、集塵機や集塵ダクト等は天井クレーンのトロリーと共に移動するので、取鍋から離れることはなく、よって、常時集塵して周辺に粉塵を拡散することを防止できる。
（２）  集塵カバーが筒状であるので取鍋の上方周辺を覆うことができ、取鍋から発生する粉塵を残すことなく集めることができる。また、側面カバーを取鍋の傾転動作や各種作業を阻害しないよう上方に収縮させることもでき、各種製鋼作業の作業性を良好に維持できる。
（３）  集塵カバーの側面カバーが蛇腹構造によって伸び縮みし、伸縮装置によって伸縮させうるので、取鍋の傾転動作に合わせて側面カバーの下端を上げ下げして、集塵効果を高めながら、取鍋の扱いの邪魔にならないようにすることができる。
（４）  伸縮ダクトが蛇腹構造であり、集塵カバーの上端フレームと共に伸縮するので、取鍋を昇降させても、固定ダクトと集塵カバーとの間に隙間ができず、集塵を効果的に行える。また、倒れ防止機構により蛇腹構造のダクトが倒れないので、通路閉塞が生じず、粉塵が漏れることはない。
請求項２の発明によれば、第２のロープ巻取装置により、ガイド部材に通されたロープに常に一定の張力を与えているので、蛇腹構造の伸縮ダクトが収縮中に倒れることがなく、そのため粉塵が外に漏れないので、集塵を効果的に行える。
【０００７】
【発明の実施の形態】
つぎに、本発明の実施形態を図面に基づき説明する。
図１は本発明の一実施形態に係る取鍋用集塵装置の側面図、図２は集塵カバーと伸縮ダクトを示す正面図、図３は取鍋用集塵装置の平面図、図４は集塵カバーの平面図、図５の（Ａ）  図と（Ｂ）  図はガイド部材の他の例の平面図、図６の（Ａ）  図はフック掛け時の説明図、同（Ｂ）  図はフック掛け終了時の説明図、図７の（Ａ）  図はクレーン移動時の説明図、同（Ｂ）  図はノロ取り時の説明図、図８の（Ａ）  図は注湯Ａ６０  °傾転時の説明図、同（Ｂ）  図は注湯Ａ９０  °傾転時の説明図、図９の（Ａ）  図は注湯Ｂ６０  °傾転時の説明図、同（Ｂ）  図は注湯Ｂ９０  °傾転時の説明図、図１０の（Ａ）  図は湯戻し３０°傾転時の説明図、同（Ｂ）  図は湯戻し９０°傾転時の説明図である。
【０００８】
図１および図３において、１は天井クレーンであり、一部しか図示していないが、建屋内において紙面に直交する方向に走行する公知のものである。２は天井クレーン１上で横行するトロリーである。このトロリー２上にはクレーン巻上装置３が設置されている。このクレーン巻上装置３のドラム３ｄから繰出されたロープ４は、フックブロック５のガイドシーブ６とトロリー２上のガイドシーブ７に巻き掛けられている。このためクレーン巻上装置３を巻上げ巻下げ駆動すると、フックブロック５が昇降させられる。
また、前記トロリー２上には、集塵機８が設置されている。この集塵機８は公知のもので、その下面からはトロリー２の下面にかけて粉塵を送るための固定ダクト９が設けられている。
【０００９】
図１〜２に示すように、前記フックブロック５には取鍋１０が吊るされるようになっている。そして、フックブロック５には集塵カバー１１が取付けられている。すなわち、集塵カバー１１は、円板状の上端フレーム１２と、その端縁から吊下げられた蛇腹構造で伸縮自在な側面カバー１３とから構成されている。そして、前記上端フレーム１２が前記フックブロック５に固定されている。
前記上端フレーム１２の下面には断熱材１４が貼付され、取鍋１０の熱から保護されている。
【００１０】
図４において、２５は第１のロープ巻取装置であり、集塵カバー１１の上端フレーム１２上に３台設置されている。いずれも同一構造で、モータと減速機とドラムとからなり、同期して３本のロープ２６を巻取り巻戻すことができる。このロープ２６の遊端は上端フレーム１２を通して、側面カバー１３の下端適所に連結されている。このため、ロープ巻取装置２５を駆動し、ロープ２６を巻取り、あるいは繰り出すことで、側面カバー１３の下端を上げ下げすることができる。
図１〜２において、側面カバー１３は上方に収縮させた状態を実線で示し、下方に伸ばした状態を想像線で示している。
【００１１】
図１〜２に示すように、前記上端フレーム１２の開口１２ａ  と前記固定ダクト９の先端部の開口との間には、伸縮ダクト１５が取付けられている。この伸縮ダクト１５は蛇腹構造であって、伸縮自在である。よって、集塵カバー１１の昇降に伴って伸縮し、固定ダクト９と集塵カバー１１との間に隙間が生ずることはない。
【００１２】
図１および図３に基づき、上記伸縮ダクト１５の蛇腹倒れ防止機構を説明する。前記トロリー２上には、第２のロープ巻取装置２０が設置されており、そのドラム２０ｄ  から繰り出されたロープ２１は、固定ダクト９上に支持されたガイドシーブ２２を経て集塵カバー１１の上端フレーム１２に連結されている。そして、このロープ２１は、伸縮ダクト１５の外表面に適数個取付けられたガイド部材に通されている。
ガイド部材としては、図２に示すようなガイド用リング２３の外、図５に示すような他の形状のガイド部材を用いてもよい。
図５の（Ａ）  図の例は、伸縮ダクト１５の外表面に取付けたガイド板３１にロープ２１を通すガイド孔３２を形成したものである。同（Ｂ）  図の例は、伸縮ダクト１５の外表面に取付けた２本のステーの先端部に２個のローラ３４を間隔をあけて取付け、２個のローラ３４間にロープ２１を通すようにしたものである。なお、これらロープ２１とガイドリング２３の組合せ等以外にも伸縮ダクト１５の倒れを防止できるなら、どのようなガイド部材を用いてもよい。
前記ロープ巻取装置２０は、取鍋１０を昇降させるクレーン巻上装置３と同期して運転させ、集塵カバー１１の昇降に拘らず、常に一直線に張った状態に維持される。このため、伸縮ダクト１５は伸長時はもとより、収縮時においても一定張力を保ったロープ２１により倒れないように規制される。
【００１３】
つぎに、本発明の集塵装置の使用方法を、図６〜１０に基づき説明する。
（１）  フック掛け
取鍋作業の開始前に、まず、図６の（Ａ）  図に示すように、フックブロック５のフックに取鍋１０の吊ビームを掛けて搬送できる状態にする。このとき、集塵カバー１１の側面カバー１３は上方に収縮させておくとよい。
（２）  フック掛け完了
フック掛けが完了すると、図６の（Ｂ）  図に示すように、側面カバー１３を下方に延ばし、取鍋１０から発生する粉塵をもれなく集められる状態とする。
（３）  クレーン移動
クレーン移動中は図７の（Ａ）  図に示すように側面カバー１３を伸ばしておく。つまり、図６の（Ｂ）  図と同じ状態である。
（４）  ノロ取り
図７の（Ｂ）  図は、作業者が取鍋１０の傾転ハンドルを操作し、取鍋１０を３０°傾転させ、ノロ取り作業をしている状態である。このとき集塵カバー１１の側面カバー１３は下端まで伸長している。
（５）  注湯Ａ６０  °傾転時
図８の（Ａ）  図は取鍋１０を６０°傾転させてモールドＭ１に注湯している状態である。このとき、集塵カバー１１の側面カバー１３はモールドを覆う定置のフードＦ１に干渉しないように上方に収縮している。
（６）  注湯Ａ９０  °傾転時
図８の（Ｂ）  図は取鍋１０を９０°傾転させてモールドＭ１に注湯している状態である。このとき、集塵カバー１１の側面カバー１３はモールドを覆う定置のフードＦ１に干渉しないように上方に収縮している。
（７）  注湯Ｂ６０  °傾転時
図９の（Ａ）  図は取鍋１０を６０°傾転させてモールドＭ２に注湯している状態である。このとき、集塵カバー１１の側面カバー１３はモールドＭ２を覆う定置のフードＦ２に干渉しないところまで下方に降りている。
（８）  注湯Ｂ９０  °傾転時
図９の（Ｂ）  図は取鍋１０を９０°傾転させてモールドＭ２に注湯している状態である。このとき、集塵カバー１１の側面カバー１３はモールドＭ２を覆う定置のフードＦ２に干渉しないところまで下方に降りている。
（９）  湯戻し３０°傾転時
図１０の（Ａ）  図は湯戻し３０°傾転時の状態を示している。このとき、集塵カバー１１の側面カバー１３は最も長く下まで降りている。
（１０）  湯戻し９０°傾転時
図１０の（Ｂ）  図は湯戻し９０°傾転時の状態を示している。このとき、集塵カバー１１の側面カバー１３は最も長く下まで降りている。
【００１４】
上記の集塵装置において、前記（３）  の移動中はもとより、前記（４）  〜（１０）の各作業中においても、集塵カバー１１は常時、取鍋と共に移動し、その上方にあって粉塵を収集できる位置にある。したがって、集塵漏れは決して生じない。
そして、前記集塵カバー１１の側面カバー１３が下方まで伸びている場合は、より効果的に粉塵を集塵できるが、側面カバー１３が上昇しているときでもかなりの集塵効果を発揮でき、しかも取鍋１０の傾転動作の邪魔にはならないものである。要するに、側面カバー１３は取鍋１０の昇降位置と作業内容に合わせて、邪魔にならないよう、また、できるだけ粉塵を収集できるよう上下に収縮するので、能率よく粉塵を収集できるものである。
【００１５】
【発明の効果】
請求項１の発明によれば、つぎの効果を奏する。
（１）  取鍋が昇降しても伸縮ダクトも伸縮自在なので、粉塵が周囲に漏れることはなく、集塵機や集塵ダクト等は天井クレーンのトロリーと共に移動するので、取鍋から離れることはなく、よって、常時集塵して周辺に粉塵を拡散することを防止できる。
（２）  集塵カバーが筒状であるので取鍋から発生する粉塵を残すことなく集めることができ、取鍋の傾転動作や各種作業を阻害しないよう上方に収縮させることもできるので、作業性を良好に維持できる。
（３）  取鍋の傾転動作に合わせて側面カバーを上げ下げできるので、集塵効果を高めながら、取鍋の扱いの邪魔にならないようにできる。
（４）  取鍋を昇降させても、固定ダクトと集塵カバーとの間に隙間ができず、また、伸縮ダクトが倒れないので集塵を効果的に行える。
請求項２の発明によれば、伸縮ダクトが、ガイド用リングに通されたロープによって倒れないように規制されるので、伸縮ダクトから粉塵が外に漏れることはなく、集塵を効果的に行える。
【図面の簡単な説明】
【図１】本発明の一実施形態に係る取鍋用集塵装置の側面図である。
【図２】集塵カバーと伸縮ダクトを示す正面図である。
【図３】取鍋用集塵装置の平面図である。
【図４】集塵カバーの平面図である。
【図５】（Ａ）  図と（Ｂ）  図はガイド部材の他の例の平面図である。
【図６】（Ａ）  図はフック掛け時の説明図、（Ｂ）  図はフック掛け終了時の説明図である。
【図７】（Ａ）  図はクレーン移動時の説明図、（Ｂ）  図はノロ取り時の説明図である。
【図８】（Ａ）  図は注湯Ａ６０  °傾転時の説明図、（Ｂ）  図は注湯Ａ９０  °傾転時の説明図である。
【図９】（Ａ）  図は注湯Ｂ６０  °傾転時の説明図、（Ｂ）  図は注湯Ｂ９０  °傾転時の説明図である。
【図１０】（Ａ）  図は湯戻し３０°傾転時の説明図、（Ｂ）  図は湯戻し９０°傾転時の説明図である。
【符号の説明】
１  天井クレーン
２  トロリー
３    クレーン巻上装置
５  フックブロック
８    集塵機
９    固定ダクト
１０    取鍋
１１    集塵カバー
１２    上端フレーム
１３    側面カバー
１５    伸縮ダクト
２０    第２のロープ巻取装置
２１    ロープ
２３  ガイド用リング
２５  第１のロープ巻取装置
【図１】
0003595256.tif 000002
【図２】
0003595256.tif 000003
【図３】
0003595256.tif 000004
【図４】
0003595256.tif 000005
【図５】
0003595256.tif 000006
【図６】
0003595256.tif 000007
【図７】
0003595256.tif 000008
【図８】
0003595256.tif 000009
【図９】
0003595256.tif 000010
【図１０】
0003595256.tif 000011